(57)【要約】      （修正有）【課題】株価の変動を一体的に且つ視覚的に把握して予測でき、相場の転換点、株の売買を行なうべき時期を予測できる分析用チャートシート及び株価分析用チャート表示システムを提供する。【解決手段】縦軸に株価、横軸に日足，週足，月足，年足等の時期を表示しうるように構成された株価分析用チャートシートにおいて、縦軸方向の目盛りは株価に比例するが、横軸方向の目盛りは出来高に比例するように寸法設定することで、日足，週足，月足，年足等に応じた単位期間内の始値の２箇所の表示位置と終値の２箇所の表示位置との少なくとも４箇所の表示位置をコーナー部とする輪郭線で包囲されるケイ線表示部５の幅が単位期間内の出来高に応じた寸法に形成され、しかも相場の転換点となる任意の２つの単位期間に相応する２箇所の位置を横軸と平行に結線することにより、相場の転換点を予測するための相場転換点予測表示線１０が表示されていることを特徴とする。【選択図】図１
2006031466.tif 000002
【特許請求の範囲】
【請求項１】
縦軸に株価、横軸に日足，週足，月足，年足等の時期を表示しうるように構成された株価分析用チャートシートにおいて、縦軸方向の目盛りは株価に比例するが、横軸方向の目盛りは出来高に比例するように寸法設定することで、日足，週足，月足，年足等に応じた単位期間内の始値の２箇所の表示位置と終値の２箇所の表示位置との少なくとも４箇所の表示位置をコーナー部とする輪郭線で包囲されるケイ線表示部（５）の幅が単位期間内の出来高に応じた寸法に形成され、しかも相場の転換点となる任意の２つの単位期間に相応する２箇所の位置を横軸と平行に結線することにより、相場の転換点を予測するための相場転換点予測表示線（１０）が表示されていることを特徴とする株価分析用チャートシート。
【請求項２】
略同寸法である複数の相場転換点予測表示線（１０）が表示されている請求項１記載の株価分析用チャートシート。
【請求項３】
各単位期間を個々に識別することのできる識別表示（１１）が、単位期間ごとに表示され、且つ相場転換点予測表示線（１０）の両端部の位置における単位期間の識別表示（１１）は、他の単位期間の識別表示（１１）よりも大きく表示されている請求項１又は２記載の株価分析用チャートシート。
【請求項４】
ケイ線表示部（５）が表示されていない余白欄（１２）が横軸方向の右側に形成され、且つ該余白欄（１２）の全幅の寸法をＹ、該余白欄（１２）を含む横軸上の全期間に相応する全幅の寸法をＴ、横軸上に表示された全期間の総出来高をＳ、特定の単位期間内の出来高をＵとしたときに、該特定の単位期間におけるケイ線表示部（５）の幅の寸法Ｋが、次式（Ａ）の関係式を満たしている請求項１乃至３のいずれかに記載の株価分析用チャートシート。
Ｋ＝（Ｔ−Ｙ）Ｕ／Ｓ  …（Ａ）
【請求項５】
ケイ線表示部（５）が表示されていない余白欄（１２）が横軸方向の右側に形成され、且つ該余白欄（１２）の全幅の寸法をＹ、該余白欄（１２）を含む横軸上の全期間に相応する全幅の寸法をＴ、横軸上に表示された全期間の総出来高をＳ、相場転換点予測表示線（１０）が表示される期間内の総出来高をＲ、相場転換点予測表示線（１０）の寸法をＬとしたときに、該相場転換点予測表示線（１０）の寸法Ｌが、次式（Ｂ）の関係式を満たしている請求項１乃至３のいずれかに記載の株価分析用チャートシート。
Ｌ＝（Ｔ−Ｙ）Ｒ／Ｓ  …（Ｂ）
【請求項６】
日足，週足，月足，年足等に相応する単位期間内の始値、終値、高値、安値を入力するとともに、その単位期間内の出来高を入力する入力手段と、入力された始値、終値、高値、安値、及び出来高を処理し、始値の２箇所の表示位置と終値の２箇所の表示位置との少なくとも４箇所の表示位置をコーナー部とする輪郭線で包囲されるケイ線表示部（５）を、縦軸に株価、横軸に時期を表示しうるチャートシート（１）等の表示媒体に、前記表示媒体における日足，週足，月足，年足等に相応する単位期間ごとに出力表示する出力表示手段とからなる株価分析用チャート表示システムであって、前記縦軸方向に出力表示される目盛りは株価に比例するが、横軸方向に出力表示される目盛りは出来高に比例するように設定することで、前記ケイ線表示部（５）の幅が単位期間の出来高に応じて出力表示されるように設定され、しかも相場の転換点となる任意の２つの単位期間に相応する２箇所の位置を前記表示媒体上で横軸と平行に結線することにより、相場の転換点を予測するための相場転換点予測表示線（１０）が出力表示されるように設定されていることを特徴とする株価分析用チャート表示システム。
【請求項７】
表示媒体上に出力表示される複数の相場転換点予測表示線（１０）の寸法が、略同寸法となるように設定されている請求項６記載の株価分析用チャート表示システム。
【請求項８】
各単位期間を個々に識別することのできる識別表示（１１）が、単位期間ごとに出力表示され、且つ相場転換点予測表示線（１０）の両端部の位置における単位期間の識別表示（１１）は、他の単位期間の識別表示（１１）よりも大きく出力表示されるように設定されている請求項６又は７記載の株価分析用チャート表示システム。
【請求項９】
ケイ線表示部（５）が表示されていない余白欄（１２）が横軸方向の右側に出力表示されるように設定され、且つ該余白欄（１２）の全幅の寸法をＹ、該余白欄（１２）を含む横軸上の全期間に相応する全幅の寸法をＴ、横軸上に表示された全期間の総出来高をＳ、特定の単位期間内の出来高をＵとしたときに、該特定の単位期間におけるケイ線表示部（５）の幅の寸法Ｋが、次式（Ａ）で算出されて出力表示されるように設定されている請求項６乃至８のいずれかに記載の株価分析用チャート表示システム。
Ｋ＝（Ｔ−Ｙ）Ｕ／Ｓ  …（Ａ）
【請求項１０】
ケイ線表示部（５）が表示されていない余白欄（１２）が横軸方向の右側に出力表示されるように設定され、且つ該余白欄（１２）の全幅の寸法をＹ、該余白欄（１２）を含む横軸上の全期間に相応する全幅の寸法をＴ、横軸上に表示された全期間の総出来高をＳ、相場転換点予測表示線（１０）が表示される期間内の総出来高をＲ、相場転換点予測表示線（１０）の寸法をＬとしたときに、該相場転換点予測表示線（１０）の寸法Ｌが、次式（Ｂ）で算出されて出力表示されるように設定されている請求項６乃至８のいずれかに記載の株価分析用チャート表示システム。
Ｌ＝（Ｔ−Ｙ）Ｒ／Ｓ  …（Ｂ）
【請求項１１】
請求項２乃至５のいずれかに記載の株価分析用チャートシートを用いて、該チャートシート（１）上に表示される複数の相場転換点予測表示線（１０）の略同寸法と認められる予測認定寸法を設定し、任意の１つの相場の転換点から、定規又は物差し等の寸法測定具を用いて、前記予測認定寸法を隔てた位置に任意の他の相場転換点を表記し、該他の相場の転換点の表記に基づいて相場の転換点となる時期を予測することを特徴とする株価分析用チャートシートの使用方法。
【請求項１２】
請求項７乃至１０のいずれかに記載の株価分析用チャート表示システムを用いて、表示媒体上に出力表示される複数の相場転換点予測表示線（１０）の略同寸法と認められる予測認定寸法を設定し、任意の１つの相場の転換点から、前記予測認定寸法を隔てた位置に任意の他の相場転換点が出力表示されるように設定して、相場の転換点となる時期を予測することを特徴とする株価分析用チャート表示システムの使用方法。
【請求項１３】
請求項１乃至５のいずれかに記載の株価分析用チャートシート、又は請求項６乃至１０のいずれかに記載の株価分析用チャート表示システムを用いて、教授者が受講者に相場の転換点の予測を教授することを特徴とする株式投資に関する知識の教授方法。
【請求項１４】
請求項１乃至５のいずれかに記載の株価分析用チャートシートを、教授者と受講者との双方が所持し、その株価分析用チャートシートの相場転換点予測表示線（１０）に基づいて教授者が受講者に相場の転換点の予測を教授することを特徴とする株式投資に関する知識の教授方法。
【発明の詳細な説明】
【技術分野】
【０００１】
本発明は、トレンドやパターン等を認識し、株価や相場の変動を予測するための株価分析用チャートを表示するチャート紙等のシートと、そのようなチャートを出力表示するためのシステム、及びこれらのチャートシートや表示システムを使用する方法、並びにこれらのチャートシート、表示システムを用いた株式投資に関する知識の教授方法に関する。
【背景技術】
【０００２】
一般に、この種の株価分析用チャートは、たとえば市販の書籍又はパソコン画面等に各企業毎に表示されており、一般投資家は、このような書籍又はパソコン画面等を利用して株価や相場の変動を予測する等の株価の分析を行っている。このような書籍又はパソコン画面等に表示された株価分析用チャートは、一般には、図１９に示すように、縦軸に株価、横軸に時期が表示され、その横軸の時期は、日足，週足，月足，年足等に応じて単位期間が設定されている。
【０００３】
すなわち、この株価分析用チャートシート２１は、同図に示すように、縦軸に株価、横軸に時期が表示され、その横軸の時期は、日足，週足，月足，年足等に応じて単位期間が設定されている。そして、このような従来の株価分析用チャートシート２１においては、図１９及び図２０に示すように、実体と称される長方形で包囲された部分２２と、ひげと称される線状の部分２３からなる多数のケイ線表示部２４，…が表示され、このケイ線表示部２４によって株価の変動を予測する。
【０００４】
このケイ線表示部２４の構成を図２０に基づいてより詳細に説明すると、長方形状からなる実体２２の部分は始値と終値を表すもので、その長方形の４つのコーナーのうちの２つのコーナーの表示位置２５，２５（同じ高さのもの）が始値を示し、他の２つのコーナーの表示位置２６，２６（同じ高さのもの）が終値を示す。
【０００５】
また、ひげと称される上側の線状の部分２３の上端位置２７が高値を示し、下側の線状の部分２３の下端位置２８が安値を示し、高値を示す上端位置２７が前記始値（終値）の２つの表示位置２５，２５を結ぶ線の中央に結ばれて上側のひげが形成され、安値を示す下端位置２８が前記終値（始値）の２つの表示位置２６，２６を結ぶ線の中央に結ばれて下側のひげが形成されている。
【０００６】
そして、１つのケイ線表示部２４を表示する単位期間内において、始値が終値より高い場合には、そのケイ線表示部２４の実体の部分２２は図２０（イ）に示すように白色で陽線として表示され、始値が終値より安い場合には、同図（ロ）に示すようにケイ線表示部２４の実体の部分２２は黒色で陰線として表示される。
【０００７】
一方、このようなケイ線表示部２４とは別に、出来高を示す出来高表示部２９が、図１９に示すように棒グラフ状に表示されている。このようなケイ線表示部２４が表示されている高さ、すなわち株価と、ケイ線表示部２４の白黒の着色、ひげの長さ、出来高表示部２９の棒グラフ状の棒の高さ等によって、株価の変動を予測するのである。
【０００８】
しかし、このような従来の株価分析用チャートシート２１においては、横軸に期間が表示され、その期間が同寸でプロットされているため、各ケイ線表示部２４を構成する実体の幅はすべて同じとなる。従って、この幅のみでただちに株価の変動を予測することはできない。
【０００９】
また、高値と安値を表示するひげの部分が線状であるため、高値と安値が一見して判断し難く、特に株価分析用チャートシート２１の全体が小さく表示されている場合（たとえば会社四季報や会社情報等では必然的に小さく表示されることとなる）には、ひげの部分自体が見にくくなる場合もある。
【００１０】
さらに、出来高の部分は上記のケイ線表示部２４とは別に見なければならないため、この出来高と、高値，安値，始値，終値等との、株価の変動予測の要因となる各要素を全体で一見して把握することは容易ではない。特に、株式投資の熟練者や専門家ならともかく、一般投資家や初心者にとっては非常に見づらいものである。
【００１１】
上記のような一般的なチャートシートとは異なるものとしては、たとえば下記特許文献１のような出願に開示されたものがある。
【特許文献１】特開２００３−１５０７８４号公報
【００１２】
この特許文献１記載の発明は、信用取引に関する情報をも一体的に組み込んだ株価情報パターンを構成する株式投資用チャートを提供することを課題とするもので、異なる種類の株価を示す複数の株価点と、異なる種類の信用取引値点とを線分で結ぶことにより、一体的に表された株価情報パターンを有するようにチャートが構成されたものである。
【００１３】
しかし、株価と信用取引に関する情報とを一体的に株価情報パターンとして表しているので、チャート上にされた表された株価情報パターンは複雑な形状のものであり、一見してその形状の意味するところを把握するのは必ずしも容易ではなく、特に一般投資家や初心者にとって、その株価情報パターンから株価の変動予測を行なうことは容易ではない。
【発明の開示】
【発明が解決しようとする課題】
【００１４】
本発明は、上述のような問題点をすべて解決するためになされたもので、株式投資の一般投資家や初心者であっても、一見するだけで、株価の変動を一体的に且つ視覚的に把握して容易に予測することができ、しかも相場の転換点、ひいては株の売買を行なうべき時期を容易に予測することができる全く新規な株価分析用チャートシート及び株価分析用チャート表示システム、並びにそれらの使用方法や教授方法を提供することを課題とする。
【課題を解決するための手段】
【００１５】
本発明は、このような課題を解決するために、株価分析用チャートシートと株価分析用チャート表示システム、及びこれらのチャートシート、表示システムの使用方法、並びにこれらのチャートシート、表示システムを用いた株式投資に関する知識の教授方法としてなされたもので、株価分析用チャートシート係る請求項１記載の発明は、縦軸に株価、横軸に日足，週足，月足，年足等の時期を表示しうるように構成された株価分析用チャートシートにおいて、縦軸方向の目盛りは株価に比例するが、横軸方向の目盛りは出来高に比例するように寸法設定することで、日足，週足，月足，年足等に応じた単位期間内の始値の２箇所の表示位置と終値の２箇所の表示位置との少なくとも４箇所の表示位置をコーナー部とする輪郭線で包囲されるケイ線表示部５の幅が単位期間内の出来高に応じた寸法に形成され、しかも相場の転換点となる任意の２つの単位期間に相応する２箇所の位置を横軸と平行に結線することにより、相場の転換点を予測するための相場転換点予測表示線１０が表示されていることを特徴とする。
【００１６】
また請求項２記載の発明は、請求項１記載の株価分析用チャートシートにおいて、略同寸法である複数の相場転換点予測表示線１０が表示されていることを特徴とする。
【００１７】
さらに請求項３記載の発明は、請求項１又は２記載の株価分析用チャートシートにおいて、各単位期間を個々に識別することのできる識別表示１１が、単位期間ごとに表示され、且つ相場転換点予測表示線１０の両端部の位置における単位期間の識別表示１１は、他の単位期間の識別表示１１よりも大きく表示されていることを特徴とする。
【００１８】
さらに請求項４記載の発明は、請求項１乃至３のいずれかに記載の株価分析用チャートシートにおいて、ケイ線表示部５が表示されていない余白欄１２が横軸方向の右側に形成され、且つ該余白欄１２の全幅の寸法をＹ、該余白欄１２を含む横軸上の全期間に相応する全幅の寸法をＴ、横軸上に表示された全期間の総出来高をＳ、特定の単位期間内の出来高をＵとしたときに、該特定の単位期間におけるケイ線表示部５の幅の寸法Ｋが、次式（Ａ）の関係式を満たしていることを特徴とする。
Ｋ＝（Ｔ−Ｙ）Ｕ／Ｓ  …（Ａ）
【００１９】
さらに請求項５記載の発明は、請求項１乃至３のいずれかに記載の株価分析用チャートシートにおいて、ケイ線表示部５が表示されていない余白欄１２が横軸方向の右側に形成され、該余白欄１２の全幅の寸法をＹ、該余白欄１２を含む横軸上の全期間に相応する全幅の寸法をＴ、横軸上に表示された全期間の総出来高をＳ、相場転換点予測表示線１０が表示される期間内の総出来高をＲ、相場転換点予測表示線１０の寸法をＬとしたときに、該相場転換点予測表示線１０の寸法Ｌが、次式（Ｂ）の関係式を満たしていることを特徴とする。
Ｌ＝（Ｔ−Ｙ）Ｒ／Ｓ  …（Ｂ）
【００２０】
さらに、株価分析用チャート表示システムに係る請求項６記載の発明は、日足，週足，月足，年足等に相応する単位期間内の始値、終値、高値、安値を入力するとともに、その単位期間内の出来高を入力する入力手段と、入力された始値、終値、高値、安値、及び出来高を処理し、始値の２箇所の表示位置と終値の２箇所の表示位置との少なくとも４箇所の表示位置をコーナー部とする輪郭線で包囲されるケイ線表示部５を、縦軸に株価、横軸に時期を表示しうるチャートシート１等の表示媒体に、前記表示媒体における日足，週足，月足，年足等に相応する単位期間ごとに出力表示する出力表示手段とからなる株価分析用チャート表示システムであって、前記縦軸方向に出力表示される目盛りは株価に比例するが、横軸方向に出力表示される目盛りは出来高に比例するように設定することで、前記ケイ線表示部５の幅が単位期間の出来高に応じて出力表示されるように設定され、しかも相場の転換点となる任意の２つの単位期間に相応する２箇所の位置を前記表示媒体上で横軸と平行に結線することにより、相場の転換点を予測するための相場転換点予測表示線１０が出力表示されるように設定されていることを特徴とする。
【００２１】
さらに請求項７記載の発明は、請求項６記載の株価分析用チャート表示システムにおいて、表示媒体上に出力表示される複数の相場転換点予測表示線１０の寸法が、略同寸法となるように設定されていることを特徴とする。
【００２２】
さらに請求項８記載の発明は、請求項６又は７記載の株価分析用チャート表示システムにおいて、各単位期間を個々に識別することのできる識別表示１１が、単位期間ごとに出力表示され、且つ相場転換点予測表示線１０の両端部の位置における単位期間の識別表示１１は、他の単位期間の識別表示１１よりも大きく出力表示されるように設定されていることを特徴とする。
【００２３】
さらに請求項９記載の発明は、請求項６乃至８のいずれかに記載の株価分析用チャート表示システムにおいて、ケイ線表示部５が表示されていない余白欄１２が横軸方向の右側に出力表示されるように設定され、且つ該余白欄１２の全幅の寸法をＹ、該余白欄１２を含む横軸上の全期間に相応する全幅の寸法をＴ、横軸上に表示された全期間の総出来高をＳ、特定の単位期間内の出来高をＵとしたときに、該特定の単位期間におけるケイ線表示部５の幅の寸法Ｋが、次式（Ａ）で算出されて出力表示されるように設定されていることを特徴とする。
Ｋ＝（Ｔ−Ｙ）Ｕ／Ｓ  …（Ａ）
【００２４】
さらに請求項１０記載の発明は、請求項６乃至８のいずれかに記載の株価分析用チャート表示システムにおいて、ケイ線表示部５が表示されていない余白欄１２が横軸方向の右側に出力表示されるように設定され、且つ該余白欄１２の全幅の寸法をＹ、該余白欄１２を含む横軸上の全期間に相応する全幅の寸法をＴ、横軸上に表示された全期間の総出来高をＳ、相場転換点予測表示線１０が表示される期間内の総出来高をＲ、相場転換点予測表示線１０の寸法をＬとしたときに、該相場転換点予測表示線１０の寸法Ｌが、次式（Ｂ）で算出されて出力表示されるように設定されていることを特徴とする。
Ｌ＝（Ｔ−Ｙ）Ｒ／Ｓ  …（Ｂ）
【００２５】
さらに株価分析用チャートシートの使用方法に係る請求項１１記載の発明は、請求項２乃至５のいずれかに記載の株価分析用チャートシートを用いて、該チャートシート１上に表示される複数の相場転換点予測表示線１０の略同寸法と認められる予測認定寸法を設定し、任意の１つの相場の転換点から、定規又は物差し等の寸法測定具を用いて、前記予測認定寸法を隔てた位置に任意の他の相場転換点を表記し、該他の相場の転換点の表記に基づいて相場の転換点となる時期を予測することを特徴とする。
【００２６】
さらに株価分析用チャート表示システムの使用方法に係る請求項１２記載の発明は、請求項７乃至１０のいずれかに記載の株価分析用チャート表示システムを用いて、表示媒体上に出力表示される複数の相場転換点予測表示線１０の略同寸法と認められる予測認定寸法を設定し、任意の１つの相場の転換点から、前記予測認定寸法を隔てた位置に任意の他の相場転換点が出力表示されるように設定して、相場の転換点となる時期を予測することを特徴とする。
【００２７】
さらに株式投資に関する知識の教授方法に係る請求項１３記載の発明は、請求項１乃至５のいずれかに記載の株価分析用チャートシート、又は請求項６乃至１０のいずれかに記載の株価分析用チャート表示システムを用いて、教授者が受講者に相場の転換点の予測を教授することを特徴とする。
【００２８】
さらに株式投資に関する知識の教授方法に係る請求項１４記載の発明は、請求項６乃至１０のいずれかに記載の株価分析用チャートシートを、教授者と受講者との双方が所持し、その株価分析用チャートシートの相場転換点予測表示線１０に基づいて教授者が受講者に相場の転換点を教授することを特徴とする。
【発明の効果】
【００２９】
本発明の株価分析用チャート表示システム及び株価分析用チャートシートにおいては、縦軸方向の目盛りは株価に比例するが、横軸方向の目盛りは出来高に比例するように寸法設定することで、ケイ線表示部の幅も、そのケイ線表示部が表示される単位期間内の出来高に比例することとなり、従ってそのケイ線表示部の幅の広狭によって日足，週足，月足，年足等に応じた単位期間内の出来高を一見して判断することが可能となる。
【００３０】
しかも、相場の転換点となる任意の２つの単位期間に相応する２箇所の位置を横軸と平行に結線することにより、相場の転換点を予測するための相場転換点予測表示線が表示されるため、その相場転換点予測表示線を利用して、相場の転換点となる時期を予測することが可能となる。
【００３１】
特に、複数の相場転換点予測表示線の寸法が、略同寸法となるように表示される場合には、相場転換点予測表示線の一端部となる相場の転換点となる位置を設定することで、他端部の相場の転換点の位置も、たとえば定規又は物差し等の寸法測定具を利用することによって、チャートシート等の表示媒体上で容易に見出すことができる。
【００３２】
ちなみに、本発明者は、上述のように横軸方向の目盛りを出来高に比例するように寸法設定することで、ケイ線表示部の幅も、そのケイ線表示部が表示される単位期間内の出来高に比例して表示されるようにした結果、相場の転換点となる位置が両端部となるように横軸と平行に結線して得られる相場転換点予測表示線の寸法は、１つの銘柄が表示されるチャートシート等の表示媒体上においては、略同寸法になることを見出し、本発明を完成するに至ったのである。
【００３３】
このことは、任意の１の相場転換点となる時期から、任意の他の相場転換点となる時期までの期間内の出来高は一定となることを意味するものである。従って、本発明のチャートシート等の表示媒体における横軸の寸法や、ケイ線表示部の幅に着目し、上記のような相場の転換点となる１つの時期から、他の相場の転換点となる時期までの期間内における出来高が略等しいという観点から、相場転換点予測表示線を形成するように試みることで、このようなチャートシート等の使用者は、相場の転換点となる時期を容易に予測することができ、ひいては株の「売り」と「買い」の時期を容易に予測することができるのである。
【００３４】
このように、本発明では、ケイ線表示部の幅によって株価変動を容易に予測することが可能になるばかりでなく、相場転換点予測表示線によって相場の転換点となる時期を予測することができ、その結果、株式投資の熟練者はもちろん、初心者であっても株の「売り」と「買い」の時期を容易に予測できることとなり、従って従来では主として専門家，熟練者等によって使用されていた株価分析用チャートを、一般投資家や初心者等にも広範に普及させることができるという実益がある。
【００３５】
より具体的に説明すると、チャートシート等にすでに表示されている相場転換点予測表示線の寸法を定規又は物差し等で測定して予測認定寸法を予め設定し、その予測認定寸法を基にして、未だ相場転換点予測表示線を形成していない最近の任意の相場転換点に着目し、その任意の相場転換点を一端側として定規又は物差し等で他端側となるべき位置に印を付す。その他端側となるべき位置は、すでにケイ線表示部等が表示された過去の時期ではなく余白欄等が存在する将来の時期であるが、チャートシート上に表示される複数の相場転換点予測表示線の寸法が略同寸法であるとの予測の基に、上記任意の相場転換点を一端側として予測設定寸法隔てた位置は、同様に相場転換点となりうるのである。従って使用者は、今後予測される相場転換点を、定規又は物差し等の簡易な寸法測定具を用いてチャートシート上できわめて容易に見出すことができるのである。
【００３６】
また、上述のような相場転換点予測表示線が表示された株価分析用チャートシートを複数人が同時に保有し、或いは一連の株価分析用チャート表示システムを複数人が同時に利用することにより、たとえば株式投資の専門家である教授者と受講者との双方が同じ情報が表示されたチャートシート等の媒体を利用して、相場転換点の時期を予測する等の知識やノウハウ等を、教授者が受講者に教授することが可能になるという効果がある。
【発明を実施するための最良の形態】
【００３７】
以下、本発明の実施形態について図面に従って説明する。
【００３８】
図１において、１は一実施形態としての株価分析用チャートシートで、縦軸２には株価が表示でき、横軸３には時期が表示できるように構成されている。本実施形態においては、株価分析用チャートシートは、縦約0.8m、横約1.5mの大型のチャートシートが用いられている。
【００３９】
この株価分析用チャートシート１は、１つの銘柄について１つずつ形成されることとなり、従って縦軸２の株価の表示は、その銘柄に応じて株価や縦軸方向の単位寸法あたりの値幅が設定されている。本実施形態では、図２及び図３に示すように、縦軸２には１９００円までの株価が表示されており、１目盛りが１０円とされ、１００円ごとに数字が表示されている。尚、銘柄表示欄１８がチャートシート１の右上欄に設けられ、該銘柄表示欄１８内に銘柄名が表示できるように構成されている。さらに、銘柄に関する説明、チャートシートに関する説明、その他、後述する株式投資の知識の教授を行なうのに必要な説明を表示するための説明表示欄１７が左上欄に設けられている。
【００４０】
また横軸３の時期も、銘柄に応じて、その横軸方向の単位期間、すなわち日足，週足，月足，年足等に応じて単位期間が設定されている。横軸３の目盛りは、図４乃至図７に示すように、西暦の年度及び月でなされている。つまり本実施形態では、月足で単位期間が設定されていることとなる。年度は、図４に示すように１９６５年頃から図７に示すように２００３年頃まで表示されている。月に関しては、図５及び図６に良く示されているように、奇数月のみ算用数字で表示され、偶数月は単にプロットで表示されている。このように横軸３には時期が表示されているのであるが、横軸方向の目盛りは出来高に比例するように寸法設定されている。
【００４１】
また、一定期間毎に枠で区分された同行欄４，…が形成されている。本実施形態では、同行欄４は３ケ月毎に枠で区分されて形成されている。ただし、上述のように横軸方向の目盛りは出来高に比例するように寸法設定されているので、上記同行欄４，…の幅も、該同行欄４を構成する期間（３ケ月）の出来高に応じて同行欄４ごとに異なった寸法の幅になる。異なった寸法の幅になることは、図６等に良く示されている。
【００４２】
さらに、株価分析用チャートシート１上の右側の複数行の同行欄４には、図１や図７に示すように、ケイ線表示部５や各情報が全く出力表示されない余白欄１２が形成されている。これは、余白欄１２に、新たな株価情報をその都度記入することができるようにするためである。すなわち、上記のようなチャートシートには、すでに所定の時期までの情報が表示されているのであるが、当然のことながらその時期以後の株価は、リアルタイムで加えていく必要がある。その場合、上述のような余白欄１２が形成されていれば、所定の時期までの情報が表示されたチャートシートを保有する使用者は、新聞やインターネットの株価情報を自分で確認して、所定時期以後の株価を上記余白欄１２に自分で記入することができる。この結果、所定時期以後の単位期間の株価情報を自分で記入することで、保有するチャートシートを常に最新のケイ線図として利用することができるのである。
【００４３】
上記出来高に応じた同行欄４の幅の設定は、後述するような株価分析用チャート表示システムの入力手段１３による入力時に行われる。具体的には、株価を表示する総期間（たとえば年足の場合には総年数、月足の場合には総月数、週足の場合には総週数、日足の場合には総日数となる）における総出来高を求め、単位期間における出来高数が算出されて、その単位期間における出来高数の数値が入力されるのである。具体的には後述する。
【００４４】
そして、表示すべき株価は、図８に示すようなケイ線表示部５で表示される。このケイ線表示部５は、同図のように始値を表す２箇所の表示位置６，６と、終値を表す２箇所の表示位置７，７とが縦方向にそれぞれ２つの線で結線され、始値を表す２箇所の表示位置６，６と高値を表す１箇所の表示位置８とがそれぞれ斜め方向に２つの線で結線され、さらに終値を表す２箇所の表示位置７，７と安値を表す１箇所の表示位置９とがそれぞれ斜め方向に２つの線で結線されて全体が略六角形状に形成されている。
【００４５】
そして、始値が終値より高い場合には、図８（イ）に示すように白色（白抜き）に表示されて陽線であることが示され、始値が終値より安い場合には、同図（ロ）に示すように黒色に着色されて陰線であることが示されることとなる。
【００４６】
このように表示されるケイ線表示部５の形状は、２箇所の始値の表示位置６，６、２箇所の終値の表示位置７，７、高値の表示位置８、安値の表示位置９をそれぞれ頂点とする略六角形状に形成されたものである点で共通するが、上述のようにチャートシート１の横軸方向の目盛りが出来高に比例するように寸法設定されているので、ケイ線表示部５の形状は必然的に始値、終値、高値、安値の価格に応じて単位期間ごとにすべて異なるものとなる。また、出来高の相違に応じてケイ線表示部５の幅も異なったものとなる。
【００４７】
従って、たとえば図８（イ）に示すようにケイ線表示部５の上側の２辺のなす角度が小さく、鋭利な楔形状である場合には、その高値は単位期間内において突出した価格であることが判断できる。さらに、ケイ線表示部５の幅が大きい場合には、出来高が多いことが判断できる。
【００４８】
また、ケイ線表示部５が図８（イ）に示すように白色（白抜き）に表示されている場合には、始値が終値より高いこと、すなわち陽線であることが容易に判断できる。
【００４９】
さらに、本実施形態では、図１、図４乃至６、図９乃至１３に示すように、相場の転換点となる位置を横方向に結線して相場の転換点を予測するための相場転換点予測表示線１０が表示されている。この相場転換点予測表示線１０は、直線部１０ａが点線で表示されているとともに、その両端部１０ｂに矢印が設けられている。
【００５０】
この相場転換点予測表示線１０の両端部となる相場の転換点となる位置は、次のように判断して設定される。
【００５１】
一般に、相場が長期間低迷しているときに大出来高となれば、それが１つの相場上昇の転換点であるとの一応の予測ができ、また相場が長期間上昇しているときに大出来高となれば、それが１つの相場下降の転換点であるとの一応の予測ができるが、本実施形態では、ケイ線表示部５の幅の寸法が、出来高に比例して形成されるため、一見して相場の上昇への転換点や下降への転換点を予測することができる。
【００５２】
また、単位期間内において高値又は安値が突出した価格であるか否かも、上記出来高に加えて相場変換点の判断の目安の１つとなるが、特に、本実施形態では、ケイ線表示部５が上記のような略六角形状に形成されているため、高値又は安値が単位期間内で突出していれば、そのケイ線表示部５の上下２辺のなす角度が小さくなって鋭角になり易く、ケイ線表示部５の全体の形状が略楔形となるため、この形状が使用者の視覚に訴え易いものとなる。
【００５３】
従って、相場が長期間低迷しているときに、ケイ線表示部５の幅が広く（大出来高を意味する）且つその上側先端部の角度が鋭角（高値が単位期間内で突出していることを意味する）になれば、その時期が相場上昇の転換点であると、一見して判別できることとなる。つまり、安値圏で株価が変動しつつあることを認識できるのである。
【００５４】
図８（イ) のようにケイ線表示部５が白色で陽線を表示していれば、相場上昇の転換点である可能性がより高まることとなる。
【００５５】
一方、相場が長期間上昇しているときに、ケイ線表示部５の幅が広く（大出来高を意味する）且つその下側先端部の角度が鋭角（安値が単位期間内で突出していることを意味する）になれば、その時期が相場下降の転換点であると、一見して判別できることとなる。つまり、高値圏で株価が変動しつつあることを認識できるのである。
【００５６】
図８（ロ）のようにケイ線表示部５が黒色で陰線を表示していれば、相場下降の転換点である可能性がより高まることとなる。
【００５７】
尚、ケイ線表示部５の下側の２辺のなす角度が大きくほとんど直線に近い場合には、その安値は単位期間内においては終値とほぼ同じであることが判断でき、この場合には相場上昇の転換点である可能性がさらに高まり、ケイ線表示部５の上側の２辺のなす角度が大きくほとんど直線に近い場合には、その高値は単位期間内においては始値とほぼ同じであることが判断でき、この場合には相場下降の転換点である可能性がさらに高まる。
【００５８】
以上のようにして相場の転換点がケイ線表示部５等によって視覚的に判断され、任意の２つの相場転換点が結線されて相場転換点予測表示線１０が形成されることとなる。ここで、相場転換点は、１つの銘柄のチャートシート１上で多数生じ得るので、その銘柄のチャートシート１においては、複数の相場転換点予測表示線１０が形成されうる。このように複数の相場転換点予測表示線１０が表示される場合、それら複数の相場転換点予測表示線１０は、１つの銘柄のチャートシート１上では略同寸法となる。
【００５９】
すなわち、本発明者は、上述のように横軸方向の目盛りが出来高に比例するように寸法設定されている結果、上述のようにケイ線表示部５等によって視覚的に判断され相場の転換点となる位置を両端部となるように横方向に結線して得られる相場転換点予測表示線１０の寸法は、１つの銘柄が表示されるチャートシート等の表示媒体上においては、略同寸法になることを見出したのである。
【００６０】
従って、チャートシート１にすでに表示されている相場転換点予測表示線１０の寸法を定規又は物差し等の寸法測定具で測定して予測認定寸法を予め設定し、その予測認定寸法を基にして、未だ相場転換点予測表示線１０を形成していない最近の任意の相場転換点に着目し、その任意の相場転換点を一端側として定規又は物差し等で他端側となるべき位置に印を付す。その他端側となるべき位置は、すでにケイ線表示部５等が表示された過去の時期ではなく余白欄１２等が存在する将来の時期であるが、チャートシート１上に表示される複数の相場転換点予測表示線１０の寸法が略同寸法であるとの予測の基に、上記任意の相場転換点を一端側として予測認定寸法隔てた位置は、同様に相場転換点となりうるのである。従って使用者は、今後予測される相場転換点を、定規又は物差し等の簡易な寸法測定具を用いてチャートシート１上できわめて容易に見出すことができるのである。
【００６１】
このように、本実施形態では、ケイ線表示部５の幅の広さや上下先端部の楔形形状の有無等によって、株価分析用チャートシート１を一見するだけで、相場の上昇，下降の転換点を視覚を通じて容易に予測することができるばかりでなく、上記のような相場転換点予測表示線１０によって、チャートシート１上に未だ表れていない将来の相場の転換点となる時期を予測することができ、従って、その予測の基に株の「売り」と「買い」の時期を容易に予測できることとなるのである。
【００６２】
一方、上記のようなケイ線表示部５とは別に、単位期間ごとに前記ケイ線表示部５に対応させて番号と＊の記号からなる識別表示１１が表示されている。この識別表示１１は、図２や図５等に良く示されている。これらの識別表示１１のうち、相場転換点予測表示線１０の両端部１０ｂにおける識別表示１１は、図２や図５等に示すように、他の識別表示１１に比べて大きな文字で表示されている。これによって、相場転換点の位置（単位期間）を容易に判別することができる。
【００６３】
たとえば、図９の＊１８４から＊３１６までの期間に相場転換点予測表示線１０が形成されており、図１０及び図１１の＊１９７から＊４３６までの期間、＊２１１から＊４７２までの期間にそれぞれ相場転換点予測表示線１０が形成されている。
【００６４】
さらに、ケイ線表示部５の輪郭線の太さは、そのケイ線表示部５が表示された単位期間内の出来高量に応じて変わるように設定されている。つまり、幅の広いケイ線表示部５ほど輪郭線が太くなるように設定されている。たとえば図１２においては、陽線及び陰線の多数のケイ線表示部が表示されているが、輪郭線を判別し易い陽線のうちの６つのケイ線表示部５ａ、５ｂ、５ｃ、５ｄ、５ｅ、５ｆに着目すると、他の５つのケイ線表示部５ｂ、５ｃ、５ｄ、５ｅ、５ｆに比べて著しく出来高量が多く幅の広いケイ線表示部５ａは、またその輪郭線も他のケイ線表示部５ｂ、５ｃ、５ｄ、５ｅ、５ｆに比べて著しく太くなっている。
【００６５】
また、図１３においては、４つの陽線のケイ線表示部のうち、単位期間内の出来高量が多く最も幅の広いケイ線表示部５ｇは、輪郭線が最も太く形成されており、幅の広さに比例してケイ線表示部５ｈ、５ｉ、５ｊ、５ｋの順に輪郭線が徐々に細くなっている。従って、このようなケイ線表示部５の輪郭線の太さによっても、相場転換点の位置を容易に把握することができるのである。
【００６６】
さらに、ケイ線表示部５の形状は、上述のように基本的には六角形状のものであるが、これは始値、終値、高値、安値の４種類の数値がすべて異なる場合であり、五角形や四角形にもなりうる。上述の「略六角形状」とは、始値、終値、高値、安値に応じて種々の六角形の形状に変化しうる他に、六角形以外の五角形や四角形にもなりうることも含む意味である。
【００６７】
図４や図１３には多数のケイ線表示部５が表示されているが、たとえば図４のケイ線表示部５ｍや図１３のケイ線表示部５ｈは六角形であるが、図４のケイ線表示部５ｎや図１３のケイ線表示部５ｇは五角形となっている。さらに図４のケイ線表示部５ｐは四角形となっている。
【００６８】
また、図１では明確ではないが、出来高を示す数字が、同行欄４ごとに表示されており、さらに出来高以外に、単位期間の高値、安値、始値、終値、及びその単位期間における高値と安値との中間の株価（中間値）が、それぞれ数字情報として表示されている。また、単位期間自体の表示、たとえば月足であれば、１月、２月、３月…等の該当する月の表示がなされている。
【００６９】
図１２や図１３では、全体の表示がなされており、同行欄４内において、上側から始値、終値、識別表示、単位期間（単位期間が月足であり月が表示されている）、高値、ケイ線表示部、安値、出来高、高値と安値との中間値の順で表示されている。上記各情報を表示する数字は、すべて算用数字で縦書きに表示されている。
【００７０】
図１４及び図１５はこれらをさらに拡大した図で、図１４では始値、終値、識別表示、月、高値、ケイ線表示部等が明確に表示されており、図１５では、ケイ線表示部、安値、出来高、高値と安値との中間値、識別表示等が表示されている。図１６及び図１７は数字をより大きく拡大した状態を示し、図１６では始値、終値、識別表示、月、高値等が表示されており、図１７では安値、出来高、高値と安値との中間値等が表示されている。
【００７１】
図１６において、たとえば「Ｓ４２１」や「Ｓ３６５」は、始値が４２１円或いは３６５円であることを示し、「Ｅ３７７」や「Ｅ４００」は、終値が３７７円或いは４００円であることを示す。また「＊１６５」、「＊１６６」、「＊１６８」等は識別表示であり、「９月」、「１０月」等は、表示された単位期間がそれぞれ９月、１０月の株価等を示すものであり、「Ｈ４３９」や「Ｈ４２４」は、高値が４３９円或いは４２４円であることを示す。また図１７において、たとえば「Ｌ３３１」や「Ｌ３６９」は安値が３３１円或いは３６９円であることを示し、「Ｖ９６０４４」、「Ｖ４１４９１」、「Ｖ９３６３９」は、出来高がそれぞれ９６０４４、４１４９１、９３６３９であることを示し、「Ｍ３８５」や「Ｍ３９７」は、高値と安値との中間値が３８５円或いは３９７円であることを示す。
【００７２】
このようなケイ線表示部５や、高値、安値、始値、終値等の数字で表された株価と、数字で表された出来高によっても株価の変動を予測することができ、上述のように相場転換点予測表示線１０の寸法によって相場変動の転換点を予測することの補完的な役割を果たすこととなる。
【００７３】
さらに、株価は、上記ケイ線表示部５以外に、単位期間の高値、安値、始値、終値、及びその単位期間における高値と安値との中間の株価が、出来高と同様にそれぞれ数字情報として表示され、しかもこれらの数字は、すべて算用数字で同じ単位期間の同行欄４内に縦書きに表示されているので、各単位期間の株価をより容易に把握することができる。また、その出来高が成立した期間の年月日等も表示される。
【００７４】
次に、一実施形態の株価分析用チャート表示システムについて説明する。
先ず、特定の銘柄の株価の始値，終値，高値，安値の４本値と、出来高とを、単位期間ごとにコンピュータに入力する。
【００７５】
コンピューターとしては、パーソナルコンピューターや、大型コンピューターを使用することが可能であるが、本実施形態では、パーソナルコンピューターが用いられる。このパーソナルコンピューターには、図１８に示すように、入力手段１３、制御手段１４、記憶手段１５、出力手段１６が具備されている。入力手段１３としては、前記パーソナルコンピューターに接続されたキーボードが用いられ、そのキーボードによって株価、出来高等の情報が入力される。ただし、取り扱う銘柄が多い場合等には、キーボードによる入力の煩雑さ等を解消するため、証券取引所や、証券取引所と契約した株価情報提供会社等からリアルタイムで提供される株価を、オンラインで入力することも可能である。
【００７６】
情報を入力する場合について具体的に説明すると、先ず○月○日の株価の始値，終値，高値，安値の４本値と、その日の出来高とを入力する。これをすべての単位期間（たとえば日足）について入力する。
【００７７】
尚、単位期間は、出力して表示すべき単位期間の種別、すなわち日足，週足，月足，年足等のいずれかを予め選定し、たとえば月足であれば、出力されるチャートシートに月ごとにケイ線表示部５等が表示されるように設定する。また、３ケ月ごとに１つの同行欄４が表示されるように設定される。
【００７８】
この出来高に応じたケイ線表示部５の幅や同行欄４の幅の設定は、既に説明したように、株価分析用チャート表示システムの入力手段１３による入力時に、株価を表示する総期間（たとえば年足の場合には総年数、月足の場合には総月数、週足の場合には総週数、日足の場合には総日数となる）における総出来高を求め、単位期間における出来高数が算出されて、その単位期間における出来高の数値が入力されるのである。
【００７９】
具体的には、チャートシート１の右側に形成された余白欄１２の全幅の寸法をＹ、余白欄１２を含む横軸上の全期間の寸法をＴ、横軸上に表示された総出来高をＳ、特定の単位期間内の出来高をＵとしたときに、該特定の単位期間におけるケイ線表示部５の幅の寸法Ｋが、次式（Ａ）で算出されるように設定される。
Ｋ＝（Ｔ−Ｙ）Ｕ／Ｓ  …（Ａ）
【００８０】
入力された情報は、制御手段１４を介して記憶手段１５で記憶される。この記憶手段１５としては、たとえばパーソナルコンピューター内のハードディスクやメモリー等が採用され、また制御手段１４としては、たとえばＣＰＵ（中央処理装置）等が採用される。
【００８１】
記憶手段１５で記憶された情報は、制御手段１４で処理され、必要に応じて出力手段１６で出力されてチャートシート１に表示されることとなる。出力表示は、大型印刷機又は大型プリンター等で、大型表示面を有するチャートシート１になされる。出力表示に際しては、入力された単位期間内の株価の始値，終値，高値，安値の４本値の情報に基づいて、陰線又は陽線で表されるケイ線表示部５が単位期間ごとに形成され、また３つの単位期間が同行欄４内に表示される。すなわち３ケ月の期間で１つの同行欄４が形成される。
【００８２】
さらに、入力された単位期間内の出来高の情報に基づいて、その出来高の数字が単位期間ごとに表示される。また、出来高以外に、単位期間の高値、安値、始値、終値、及びその単位期間における高値と安値との中間の株価が、それぞれ数字情報として表示される。さらに、単位期間ごとに、識別表示１１が表示される。
【００８３】
そして、上記のような各情報は、チャートシート１の大型表示紙面に印刷されているため、使用者にとって非常に見やすいものとなる。
【００８４】
さらに、株価分析用チャートシート１上に上述のような相場転換点予測表示線１０を形成する。相場転換点予測表示線１０を形成するに際しては、上述のような種々の判断の手法によって相場の転換点となる位置を認定し、そのうちから２つの相場の転換点を選定して、その２つの相場転換点の位置を定規又は物差し等の寸法測定具で点線により結線し、両側に矢印を付すことによって相場転換点予測表示線１０を形成する。また、他の２つの相場の転換点を選定して同様にして相場転換点予測表示線１０を形成することができ、このようにして複数の相場転換点予測表示線１０を形成することができる。
【００８５】
このようにして形成された相場転換点予測表示線１０に基づいて、将来の相場転換点を予測する方法は上述のとおりである。すなわち、上記複数の相場転換点予測表示線１０の寸法が略同寸法であると予測し、相場転換点予測表示線１０の一端側となる任意の相場の転換点から、前記略同寸法であると予測された相場転換点予測表示線の予測認定寸法を隔てた位置を余白欄１２に表記し、その余白欄１２に表記された位置を相場の転換点と予測することができるのである。
【００８６】
上記のような株価分析用チャート表示システムによって出力されたチャートシート１は、それ自体が大型表示紙面を有して非常に見易いものであるため、一般投資家がそれを保有して利用することもむろん可能である。
【００８７】
しかし、株式投資に関する知識が乏しい者や株式投資の初心者にとっては、書籍又はパソコン画面等の小さなスペースに表示された一般の株価分析用チャートに比べると、把握し易く、相場の変動の予測がし易いものではあるが、実際の「売り」と「買い」を行うに際して複雑な株価の動向等を予測することはやはり容易ではない。
【００８８】
そこで、そのようなノウハウや株式投資に関する知識をたとえば株式投資の専門家に教授してもらえれば非常に好都合である。たとえば上記のような株式投資の専門家が、株式投資の知識を一般投資家や初心者等の受講者に教授するような場合に、上記のような株価分析用チャート表示システムやチャートシートを利用することができる。
【００８９】
すなわち、上記のようなチャートシートの大型表示紙面に、相場転換点予測表示線１０、ケイ線表示部５、出来高その他の数字情報が表示された株価分析用チャートシートであって、同じ銘柄の同じ情報を表示したものを、教授者と受講者とがそれぞれ保有し、それを見ながら受講者は教授者の講義を受けることができる。
【００９０】
この場合、受講者は、表示紙面が大型で見易く、しかも上記のような特殊な形態のケイ線表示部５が表示され、且つ相場の転換点を予測する相場転換点予測表示線１０が表示された特殊なチャートシート１を保有しそれを見ながら専門家の講義を聴講することができるため、株価の変動の予測、「売り」と「買い」のタイミング等、株式投資に関する知識やノウハウを、習得することが容易となる。
【００９１】
このように、教授者と受講者との双方でチャートシートが利用される場合、各単位期間ごとに、上述のように番号や記号等の識別表示１１が表示されることによって、教授者と受講者間の知識の教授がより効果的に行われることとなる。
【００９２】
これをより具体的に説明すると、たとえば教授者が「ＮＯ．○○の欄を見てください。その欄の株価と出来高は…」と受講者に説明をするような場合に、教授者と受講者との双方が、チャートシート１内における株価や時期等の同じ表示情報を特定するのが非常に容易となり、教授者にとって説明を容易に行えるだけでなく、受講者にとっても理解が容易となるのである。
【００９３】
この識別表示１１が表示される場所は、特に限定されるものではないが、ケイ線表示部７の所定間隔隔てた上下に表示されるのが好ましい。このように所定間隔隔てた表示部の上下に識別表示１１が表示されることによって、株価の上下の変動に応じて識別表示１１を視認することができ、受講者の視覚により効果的に訴えることができる。
【００９４】
本実施形態では、特に、相場転換点予測表示線１０の両端部に位置する単位期間の識別表示１１が、他の単位期間の識別表示１１に比べて大きく形成されているため、同じチャートシート１を保持する教授者と受講者の間で、相場転換点の位置の確認を行い易くなる。
【００９５】
また、上記のような出来高、単位期間の高値、安値、始値、終値、及びその単位期間における高値と安値との中間の株価等の数字情報も、ケイ線表示部５の所定間隔隔てた上下に表示されることによって、出来高その他の各数字情報を、受講者の視覚により効果的に訴えることができることとなる。特に、これらの数字情報は、算用数字で縦に表示されているので、同行欄４のうちの１つの単位期間内に納めることができ、従って教授者と受講者との双方が同じチャート紙面を見て知識の授受を行うのが非常に容易となる。
【００９６】
さらに、チャートシートの右側の複数行の同行欄４には、上述のように余白欄１２が形成され、その余白欄１２に新たな株価情報をその都度記入することができるので、所定の情報が印字等によって表示されている以後の時期の株価をリアルタイムで自分で記入することができ、保有するチャートシートを常に最新のケイ線図として利用することができる。そして、所定の時期までの株価情報を表示した状態のチャートシートを、株式投資の知識の教授を行う教授者が受講者に渡すことにより、以後の株価情報を受講者が自分で記入することで、受講者自身の知識の向上にも寄与するととなるのである。
【００９７】
尚、上記実施形態では、チャートシート１として、縦約0.8m、横約1.5mのチャートシートを用いたが、チャートシート１の寸法はこれに限定されるものではなく、その大きさは問うものではない。ただし、縦は約0.8m〜約６m であり、横は約0.8m〜約６m であることが好ましい。縦が約0.8m以下、横が約0.8m以下であると、本発明のチャートシートに要求される「見易さ」が損なわれるおそれがあるからである。
【００９８】
すなわち、本発明のチャートシートにおいては、上記のように数字で表示される各情報は、単位期間ごとに表示されることになるので、表示された各情報がある程度見易い状態であるためには、単位期間の幅と長さを一定寸法以上確保する必要があり、そのためには、チャートシート１の大きさも一定以上必要となる。単位期間の幅が狭すぎると、表示できる文字等が非常に小さくなり、見易い状態であるためには、横が約0.8m以上であることが好ましい。
【００９９】
また、チャートシート１の構成上、上記のような各情報の文字は縦書きに表示され、しかもケイ線表示部５が表示されている部分以外の余白スペースに表示しなければならないため、単位期間の縦の長さも一定以上必要となる。この観点から、上記のように縦が約0.8m以上であることが好ましい。一方、縦，横ともに約６m 以上となると、そのような大型の印刷機を準備するのが困難となるため、その観点から縦，横ともに約６m 以下であることが好ましい。
【０１００】
また、上記実施形態では、１枚のチャートシートを用いる場合について説明したが、複数枚のチャートシートを繋ぎ合わせて使用することも可能である。株価の変動を長期にわたって検討し、考察するためには、その分単位期間が多くなり、従って寸法にある程度の限界のあるチャートシートを繋ぎ合わせて使用する必要が生ずる場合があるからである。      
【０１０１】
さらに、上記実施形態では、チャートシート１が紙で構成されている場合について説明したが、チャートシート１の材質は紙に限定されるものではなく、たとえば合成樹脂製のシートを用いることも可能であり、そのチャートシート１の材質は問わない。ただし、取り扱いの便宜、表示のしやすさ、コスト等の観点からは、紙製のものが好ましい。
【０１０２】
さらに、上記実施形態では、チャートとして表示すべき各種の情報を、チャートシート１に出力したが、チャートシート１に出力することは本発明に必須の条件ではなく、他の表示媒体に表示することも可能である。
【０１０３】
たとえば壁面にスクリーンをかけ、そのスクリーンに、パーソナルコンピュータの画面に表示される画像と同じものを映写させることによって表示してもよく、この場合はスクリーンが表示媒体となる。また、プロジェクター等を用いて壁面等に表示することも可能であり、この場合は壁面自体が表示媒体となる。いずれにしても、表示媒体の種類は問わない。
【０１０４】
さらに、設定される単位期間は、日足、週足、月足、年足等問うものではなく、銘柄や株価の変動状況等に応じて任意に設定することができる。
【０１０５】
さらに、上記実施形態では、相場転換点予測表示線１０を手書きで形成したが、印刷等で出力表示されるようにしてもよい。この場合、余白欄１２の全幅の寸法をＹ、余白欄１２を含む横軸上の全期間に相応する全幅の寸法をＴ、横軸上に表示された全期間の総出来高をＳ、相場転換点予測表示線１０が表示される期間内の総出来高をＲ、相場転換点予測表示線１０の寸法をＬとしたときに、該相場転換点予測表示線１０の寸法Ｌが、次式（Ｂ）で算出されるように設定される。
Ｌ＝（Ｔ−Ｙ）Ｒ／Ｓ  …（Ｂ）
【０１０６】
そしてケイ線表示部５の形態等から上述のような判断の手法によって相場の転換点と認められる位置を認識し、任意の２つの相場転換点と認められる位置を結線したときに得られる直線のうち、略同寸法と認められる複数の直線を相場転換点予測表示線１０と認定する。
【０１０７】
さらに、上記実施形態では、点線からなる直線部１０ａの両端部１０ｂに矢印を設けて相場転換点予測表示線１０を形成したが、相場転換点予測表示線１０の形態は該実施形態に限定されるものではない。たとえば直線部が実線で形成されているようなものであってもよい。
【０１０８】
さらに、上記実施形態では、ケイ線表示部５の形態として、始値を表す２つのプロットと、終値を表す２つのプロットとが縦方向にそれぞれ２つの線で結合され、終値を表す２つのプロットと高値を表す１つのプロットとがそれぞれ斜め方向に２つの線で結合され、さらに始値を表す２つのプロットと安値を表す１つのプロットとがそれぞれ斜め方向に２つの線で結合されて全体が略六角形状（楔形）に形成されたものを用いたが、ケイ線表示部５の形態はこれに限定されるものではなく、たとえば既存のローソク足と称される形態のケイ線表示部を採用することも可能である。
【０１０９】
さらに、該実施形態では、陽線を表示する場合すなわち単位期間内で始値が終値よりも高い場合に白色（白抜き）で表示され、且つ陰線を表示する場合すなわち始値が終値よりも安い場合に黒色に着色されているが、着色する色等はこれに限定されるものではなく、たとえば陽線を赤色で表示することも可能である。また、これ以外の色に着色することも可能であり、その色の種類は問わず、また模様の種類を変えて表示することも可能である。
【０１１０】
尚、該実施形態の楔形の表示部を採用する場合や上記実施形態のようなローソク足の表示を採用する場合のいずれの場合でも、陽線や陰線を表示する場合に、白色や黒色に着色せず、これ以外の色に着色することも可能であり、その色の種類は問わず、また模様の種類を変えて表示することも可能である。たとえば陽線は白色とし、陰線を黒色以外の灰色、黄色、緑色、紫色等に着色することが可能である。
【０１１１】
また、縦軸２の株価の設定や、縦軸２における単位寸法あたりの価格の設定も銘柄に応じて任意に変更可能である。
【０１１２】
さらに、上記実施形態では、チャートシートの右側に、余白欄１２を形成したため、所定時期以後の株価情報を自分で記入することができ、常に最新のケイ線図を得ることができるという好ましい効果が得られたが、このような余白欄１２を形成することは本発明に必須の条件ではない。尚、余白欄１２を形成する場合、その余白欄１２を構成する同行欄４の数は問うものではないが、以後の情報を長期間記入する必要がある場合には、数多くの同行欄４が形成されるように余白欄１２のスペースを設定する必要がある。
【０１１３】
さらに、入力手段としては、すでに述べたようにパーソナルコンピューターのキーボードによる入力手段に限らず、証券取引所等からオンラインでリアルタイムに入力するような手段を採用することも可能であり、またその他の入力手段を採用することも可能である。さらに、出力手段も、大型印刷機又は大型プリンター等による出力手段に限定されず、パーソナルコンピューターと併用される一般のプリンターによる出力手段であってもよく、その手段は問わない。
【０１１４】
さらに、インターネットを利用して上記のような株価に関する情報を見るとともに出力することも可能である。この場合には、教授者が受講者に対して同じ場所で講義をする必要はなく、株式投資の知識の教授を受ける受講者が自宅で講義を受けることが可能となる。
【０１１５】
より詳細には、インターネットや一般家庭へのその他の通信手段の普及により、多数の受講者が同時に、また希望した個々の受講者が希望した時間にいつでも自宅にて在宅学習を受けることができ、インターネットその他の通信手段を利用することで、上記のような株式投資の知識の教授を、教育事業として提供できるという実益がある。
【０１１６】
また、チャートシート１に表示される情報は、印字に限らず手書きで表示されていてもよい。
【０１１７】
さらに、上記実施形態では、単位期間の高値、安値、始値、終値等が、ケイ線表示部５で表示される他に、数字でも表示されていたが、このように数字で高値、安値、始値、終値等を表示することは、本発明に必須の条件ではない。ただし、本発明においては、大型の表示紙面を有する大きさにチャートシートが形成されるので、ケイ線表示部５のみならず、それ以外の多くの情報を表示することができるのである。
【０１１８】
さらに、教授者と受講者との双方が、同じチャートシートを利用する場合には、上述のように、チャートシートの単位期間ごとに識別表示１１を形成することで好ましい効果が得られたが、このような識別表示１１を表示することは本発明に必須の条件ではない。
【０１１９】
さらに、教授者と受講者との双方が、同じチャートシートを利用する場合、たとえば剥離自在な着色されたシールを使用することができる。このような着色シールを複数色準備することで、たとえば赤色は高値、青色は安値等の種別を選定し、その上で高値、安値等の主要なポイントに着色シールを貼着すると、教授者が受講者に説明する際のポイントとなる高値、安値等の位置を特定するのが非常に容易となり、ひいては天井値、底値、相場の転換点その他等を説明をするのが非常に容易となる。
【０１２０】
この場合、着色シールを用いることに代えて、たとえばカラーのサインペンや色鉛筆等の筆記具を利用して、主要ポイントに同様の表示を行うことも可能である。
さらに、日足，週足，月足，年足のいずれで表示することも可能であることは一般のチャートの場合と同様である。
【産業上の利用可能性】
【０１２１】
本発明は、トレンドやパターン等を認識し、株価や相場の変動を予測するための株価分析用チャートを表示するためのシステムと、そのような株価分析用チャートを表示するチャート紙等のシート、及びこれらの表示システム、チャートシートを使用する方法等に広く適用することができる。
【図面の簡単な説明】
【０１２２】
【図１】一実施形態としての株価分析用チャートシートの概略平面図。
【図２】縦軸の下部を示す要部拡大平面図。
【図３】縦軸の上部を示す要部拡大平面図。
【図４】横軸の左部を示す要部拡大平面図。
【図５】横軸の一部を示す要部拡大平面図。
【図６】横軸の一部を示す要部拡大平面図。
【図７】横軸の右部を示す要部拡大平面図。
【図８】ケイ線表示部を示す要部拡大平面図。
【図９】相場転換点予測表示線の部分を拡大して示す要部平面図。
【図１０】相場転換点予測表示線の部分を拡大して示す要部平面図。
【図１１】図１０の一部をさらに拡大して示す要部平面図。
【図１２】ケイ線表示部を拡大して示す要部拡大平面図。
【図１３】ケイ線表示部を拡大して示す要部拡大平面図。
【図１４】識別表示等の数字の部分を拡大して示す要部拡大平面図。
【図１５】識別表示等の数字の部分を拡大して示す要部拡大平面図。
【図１６】識別表示等の数字の部分を拡大して示す要部拡大平面図。
【図１７】識別表示等の数字の部分を拡大して示す要部拡大平面図。
【図１８】一実施形態としての株価分析用チャート表示システムの概略ブロック図。
【図１９】従来の株価分析用チャートシートの概略平面図。
【図２０】従来のケイ線表示部を示す要部拡大平面図。
【符号の説明】
【０１２３】
１…株価分析用チャートシート      ２…縦軸
３…横軸                          ４…同行欄
５…ケイ線表示部                  ６…始値の表示位置
７…終値の表示位置                １０…相場転換点予測表示線
１１…識別表示                    １３…入力手段
１４…出力手段
【図１】
2006031466.tif 000003
【図２】
2006031466.tif 000004
【図３】
2006031466.tif 000005
【図４】
2006031466.tif 000006
【図５】
2006031466.tif 000007
【図６】
2006031466.tif 000008
【図７】
2006031466.tif 000009
【図８】
2006031466.tif 000010
【図９】
2006031466.tif 000011
【図１０】
2006031466.tif 000012
【図１１】
2006031466.tif 000013
【図１２】
2006031466.tif 000014
【図１３】
2006031466.tif 000015
【図１４】
2006031466.tif 000016
【図１５】
2006031466.tif 000017
【図１６】
2006031466.tif 000018
【図１７】
2006031466.tif 000019
【図１８】
2006031466.tif 000020
【図１９】
2006031466.tif 000021
【図２０】
2006031466.tif 000022